(57)【要約】【課題】端子を保護可能であるメモリーカードアダプターを提供する。【解決手段】ハウジング１０と、多数の端子２０と、接続回路板３０と、保護カバー４０とを含む。ハウジング１０は、端縁にメモリカード挿入穴１１が凹設され、メモリカード挿入穴１１の第一側はメモリカード収容部１１１であり、メモリカード挿入穴１１の第ニ側は開口１１２である。端子２０は、ハウジング１０内に設置され、自由端２１がメモリカード挿入穴１１に延設されている。接続回路板３０は、ハウジング１０内に設置され、その上で多数の端子接続片３１が連接し、各端子接続片３１の第一端が端子２０のラップ段２２とラップし、各端子接続片３１の第ニ端がハウジング１０の貫通孔１２と対応して外部に露出している。保護カバー４０は、両側が開口１１２の対向する両側にそれぞれ係合し、開口１１２を完全に密封する。【選択図】図１
0003125533.tif 000002
【実用新案登録請求の範囲】
【請求項１】
ハウジングと、多数の端子と、接続回路板と、保護カバーとを含み、
前記ハウジングは端縁にメモリカード挿入穴が一つ凹設してあり、前記メモリカード挿入穴の第一側はメモリカード収容部であり、前記メモリカード挿入穴の第ニ側は開口であり、
前記端子は前記ハウジング内に設置され、挿入されたメモリカードとラップするために、前記各端子の第一端である自由端が前記メモリカード挿入穴に延設され、
前記接続回路板は前記ハウジング内に設置され、その上で多数の端子接続片が連接し、前記各端子接続片の第一端が前記端子の第二端であるラップ段とそれぞれラップし、前記各端子接続片の第ニ端が前記ハウジングの貫通孔と対応して外部に露出し、
前記保護カバーは両側が前記メモリカード挿入穴の開口の対向する両側にそれぞれ係合し、前記開口は密封されることを特徴とするメモリーカードアダプター。
【請求項２】
前記保護カバーの両側には弾性持ち突出片が立設してあり、前記弾性持ち突出片は前記ハウジングに設けられている係り穴に挿入され、前記係り穴にしっかりと当接することを特徴とする請求項１に記載のメモリーカードアダプター。
【請求項３】
前記保護カバーは、側縁にフックが立設してあり、前記フックが前記ハウジングのフック部に対応して係られることを特徴とする請求項１に記載のメモリーカードアダプター。
【請求項４】
前記各端子は、第一端であるラップ段が溶接で前記接続回路板の端子接続片と接合することを特徴とする請求項１に記載のメモリーカードアダプター。
【請求項５】
前記各端子のラップ段の上には挿入片が多数に凸設してあり、前記挿入片が前記接続回路板の挿入穴に挿入されて係止されることを特徴とする請求項１に記載のメモリーカードアダプター。
【請求項６】
前記保護カバーは、金属シートで作製されているものであることを特徴とする請求項１に記載のメモリーカードアダプター。
【請求項７】
ハウジングと、多数の端子と、保護カバーとを含み、
前記ハウジングは端縁にメモリカード挿入穴が一つ凹設してあり、前記メモリカード挿入穴の第一側はメモリカード収容部であり、前記メモリカード挿入穴の第ニ側は開口であり、
前記各端子は第一端である自由端が前記メモリカード挿入穴に延設され、第二端が前記ハウジングの貫通孔に対応して外部に露出し、
前記保護カバーは両側が前記メモリカード挿入穴の開口の対向する両側にそれぞれ係合し、前記開口を完全に密封することを特徴とするメモリーカードアダプター。
【請求項８】
前記保護カバーの両側には弾性持ち突出片が立設してあり、前記弾性持ち突出片は前記ハウジングに設けられている係り穴に挿入され、前記係り穴にしっかりと当接することを特徴とする請求項７に記載のメモリーカードアダプター。
【請求項９】
前記保護カバーは、側縁にフックが立設してあり、前記フックが前記ハウジングのフック部に対応して係られることを特徴とする請求項７に記載のメモリーカードアダプター。
【考案の詳細な説明】
【技術分野】
【０００１】
本考案は、メモリーカードアダプターに係り、特に、外部のホコリや異物の侵入を防止するために、ハウジングにあるメモリカード挿入穴の一側の開口に保護カバーが摺動可能に設けられるメモリーカードアダプターに関するものである。
【背景技術】
【０００２】
目下、新仕様のメモリカードは、メモリが高容量であるが、その仕様は従来の電子装置に採用されるメモリカードの仕様と異なるので、従来の電子装置に直接に適用できない問題がある。
従来の電子装置に直接に適用可能にするために、図８に示すメモリーカードアダプターが提案され、メモリーカードアダプターは、一つのハウジング５１を含み、前記ハウジング５１にはメモリカード挿入穴５１１が凹設してあり、前記ハウジング５１内には多数の端子５２が設けてあり、前記各端子５２が挿入されたメモリカード９０と対応してラップするように、前記各端子５２の第一端である自由端５２１が前記メモリカード挿入穴５１１に延設される。
【０００３】
しかしながら、メモリカード９０の厚さはカードリーダー装置（例えば、デジカメに設けられたカードリーダー装置）に収容可能のメモリーカードアダプターの厚さとほぼ同じなので、実際には、前記ハウジング５１のメモリカード挿入穴５１１の両裏壁面と挿入されたメモリカード９０の両側面との間の距離は極めて小さく、だから、樹脂射出成形方法により前記ハウジング５１のメモリカード挿入穴５１１の両側面を形成することは困難であり、この原因で、従来のメモリーカードアダプターのメモリカード挿入穴５１１の両側面のうちの何れか一側面には開口５１２が形成され、これにより、他側面のハウジング５１の厚さが増加する。
【考案の開示】
【考案が解決しようとする課題】
【０００４】
しかしながら、上記方法によれば、メモリカード９０を外側に引出した後に、メモリカード挿入穴５１１の一側に開設された開口５１２は開放状態になり、前記ハウジング５１内に設けられた前記各端子５２の第一端である自由端５２１が外部に露出し、これにより、ホコリや異物が前記各端子４２の第一端の自由端４２１を汚染し、又は、衝突し易くなり、このように、前記各端子４２の第一端の自由端４２１はメモリカード９０と良好に連接できなくなり、信号伝送の品質が低下する欠点がある。
【課題を解決するための手段】
【０００５】
上記欠点を解決するためになされた本考案は、ハウジングと、多数の端子と、接続回路板と、保護カバーとを含むメモリーカードアダプターにおいて、前記ハウジングは端縁にメモリカード挿入穴が一つ凹設してあり、前記メモリカード挿入穴の第一側はメモリカード収容部であり、且つ前記メモリカード挿入穴の第ニ側は開口であり、前記端子は前記ハウジング内に設置され、挿入されたメモリカードとラップするために、前記各端子の第一端である自由端が前記メモリカード挿入穴に延設され、前記接続回路板は前記ハウジング内に設置され、その上で多数の端子接続片が連接し、前記各端子接続片の第一端が前記端子の第二端であるラップ段とそれぞれラップし、なお、前記各端子接続片の第ニ端が前記ハウジングの貫通孔と対応して外部に露出し、前記保護カバーはその両側が前記メモリカード挿入穴の開口の対向する両側にそれぞれ係合し、前記開口を完全に密封することを特徴とするメモリーカードアダプターであることを要旨としている。
【０００６】
本考案では、前記保護カバーの両側には弾性持ち突出片が立設してあり、前記弾性持ち突出片は前記ハウジングに設けられた係り穴に挿入され、前記係り穴にしっかりと当接することを特徴とする請求項１に記載のメモリーカードアダプターであることを要旨としている。
【０００７】
本考案では、前記保護カバーは側縁にフックが立設してあり、前記フックが前記ハウジングのフック部に対応して係られることを特徴とする請求項１に記載のメモリーカードアダプターであることを要旨としている。
本考案では、前記各端子は第一端であるラップ段が溶接で前記接続回路板の端子接続片と接合することを特徴とする請求項１に記載のメモリーカードアダプターであることを要旨としている。
【０００８】
本考案では、前記各端子のラップ段の上には挿入片が多数に凸設してあり、前記挿入片が前記接続回路板の挿入穴に挿入されて係止されることを特徴とする請求項１に記載のメモリーカードアダプターであることを要旨としている。
本考案では、前記保護カバーは金属シートで作製されたものであることを特徴とする請求項１に記載のメモリーカードアダプターであることを要旨としている。
【０００９】
本考案では、ハウジングと、多数の端子と、保護カバーとを含むメモリーカードアダプターにおいて、前記ハウジングは端縁にメモリカード挿入穴が一つ凹設してあり、前記メモリカード挿入穴の第一側はメモリカード収容部であり、且つ前記メモリカード挿入穴の第ニ側は開口であり、前記各端子は第一端である自由端が前記メモリカード挿入穴に延設され、第二端が前記ハウジングの貫通孔に対応して外部に露出し、前記保護カバーは両側が前記メモリカード挿入穴の開口の対向する両側にそれぞれ係合し、前記開口を完全に密封することを特徴とするメモリーカードアダプターであることを要旨としている。
【００１０】
本考案では、前記保護カバーの両側には弾性持ち突出片が立設してあり、前記弾性持ち突出片は前記ハウジングに設けられた係り穴に挿入され、前記係り穴にしっかりと当接することを特徴とする請求項７に記載のメモリーカードアダプターであることを要旨としている。
本考案では、前記保護カバーは側縁にフックが立設してあり、前記フックが前記ハウジングのフック部に対応して係られることを特徴とする請求項７に記載のメモリーカードアダプターであることを要旨としている。
【考案の効果】
【００１１】
本考案のメモリーカードアダプターによれば、次のような効果がある。
（イ）保護カバーにより、メモリカード挿入穴の第二側に開設された開口が密封され、ホコリや異物がメモリカード挿入穴に侵入して各端子を汚染し、又は、破壊することを防止することができる。
【００１２】
（ロ）保護カバーは、金属シートで作製されたものであるので、変形し難く、メモリーカードアダプターの外力を受ける能力が向上し、挿入されたメモリカードはメモリカード挿入穴内で安定して保持されることができる。
（ハ）各端子の長さは大幅に短縮されているので、製造過程中に、端子が変形して不良品になる確率が低減し、生産コストは低減する。
【考案を実施するための最良の形態】
【００１３】
以下、添付図面を参照して本考案の好適な実施の形態を詳細に説明する。
まず、図１から図６を参照する。本考案の一実施例によるメモリーカードアダプターは、ハウジング１０と、多数の端子２０と、接続回路板３０と、保護カバー４０とを含む。前記ハウジング１０は、端縁にメモリカード挿入穴１１が一つ凹設してあり、前記メモリカード挿入穴１１の第一側はメモリカード収容部１１１であり、且つ前記メモリカード挿入穴１１の第ニ側は開口１１２である。前記端子２０は、前記ハウジング１０内に設置され、挿入されたメモリカード９０とラップするために、前記各端子２０の第一端である自由端２１が前記メモリカード挿入穴１１に延設される。前記接続回路板３０は、前記ハウジング１０内に設置され、その上で多数の端子接続片３１が連接し、前記各端子接続片３１の第一端が前記端子２０の第二端であるラップ段２２とそれぞれラップし、なお、前記各端子接続片３１の第ニ端は前記ハウジング１０の貫通孔１２と対応して外部に露出し、電子装置（例えば、デジカメ）のカードリーダー装置と脱着自在に接続する。前記保護カバー４０は、両側が前記メモリカード挿入穴１１の開口１１２の対向する両側にそれぞれ係合し、前記開口１１２を完全に密封する。このような構成により、メモリカード挿入穴１１の第二側に開設された開口１１２が密封され、ホコリや異物がメモリカード挿入穴１１に侵入して各端子を汚染し、又は、破壊することを防止することができる。
【００１４】
本実施例のメモリーカードアダプターは、前記ハウジング１０が二つのハウジングユニット１０ａとハウジングユニット１０ｂから構成され、組合されたハウジングユニット１０ａとハウジングユニット１０ｂがメモリカードの外形になり、しかし、本考案のメモリーカードアダプターの外形はその形状に限定されず、ＭＳやＳＤなどのメモリカードの外形にしてもいい。
【００１５】
本実施例のメモリーカードアダプターは、前記ハウジング１０のメモリカード挿入穴１１の対向する両側面に案内溝１１３ａと案内溝１１３ｂがそれぞれ一つ形成してあり、メモリカード９０の両側がそれぞれ前記案内溝１１３ａと案内溝１１３ｂをスライド可能であり、これにより、メモリカード９０は案内されて前記メモリカード挿入穴１１に正確に挿入されて、前記各端子とラップして電気的に接続することができる。
【００１６】
図１に示すように、本実施例の各端子２０の第二端であるラップ段２２は前記接続回路板３０の端子接続片３１と溶接で接合し、また、前記各端子２０のラップ段２２の上には多数の挿入片２２１が凸設してあり、前記挿入片２２１が前記接続回路板３０の挿入穴３２に挿入されて係止され、そうすると、前記各端子２０と前記接続回路板３０の端子接続片３１との溶接作業は容易になる。
【００１７】
本実施例の前記接続回路板３０にある各端子接続片３１は、樹脂板に粘着された銅箔でもいいし、プリント回路板でもよく、本考案はこれらに限定されない。
前記接続回路板３０には、前記ハウジング１０に設けられた位置決めピン１３を挿通可能な位置決め穴３３が多数に開設してあり、これにより、前記接続回路板３０が安定して位置決めされる。
【００１８】
図１と図３と図４と図５に示すように、本実施例のメモリーカードアダプターは、前記保護カバー４０が金属シートで作製されたものであるが、本考案はこれに限定されない。前記保護カバー４０の両側には弾性持ち突出片４１が立設してあり、前記弾性持ち突出片４１は、前記ハウジング１０に設けられた係り穴１４に挿入され、前記係り穴１４にしっかりと当接する。図４と図６に示すように、前記保護カバー４０は更に側縁にフック４２が立設してあり、前記フック４２が前記ハウジング１０のフック部１５に対応して係られ、これにより、前記保護カバー４０は前記ハウジング１０にしっかりと係られ、前記メモリカード挿入穴１１の第二側である開口１１２を密封することができ、硬度のより高い素材で作製された保護カバー４０により、ホコリや異物がメモリカード挿入穴に侵入して各端子を汚染し、又は、破壊することを防止することができ、且つメモリーカードアダプターの外力を受ける能力が向上し、挿入されたメモリカードはメモリカード挿入穴内に安定して保持されることができる。
【００１９】
また、本実施例のメモリーカードアダプターは、上記接続回路板３０を設けなくてもよく、図７に示すように、各端子２０ａは第一端である自由端２１ａが前記ハウジング１０にある前記メモリカード挿入穴１１に延設され、第二端２２ａが前記ハウジング１０の貫通孔１２に対応して外部に露出し、本実施例の各端子２０ａにより、挿入されたメモリカード９０と電子装置のカードリーダー装置（例えば、デジカメに設けられたカードリーダー装置）とが電気的に連接され、電子信号の伝送はスムーズになる。
【図面の簡単な説明】
【００２０】
【図１】本考案の一実施例によるメモリーカードアダプターを示す分解斜視図である。
【図２】本考案の一実施例によるメモリーカードアダプターのメモリカードを挿入していない状態を示す斜視図である。
【図３】本考案の一実施例によるメモリーカードアダプターのメモリカードを挿入した状態を示す斜視図である。
【図４】図３を４―４線で切断した断面図である。
【図５】図４の５部の拡大図である。
【図６】図４の６部の拡大図である。
【図７】本考案の他の実施例によるメモリーカードアダプターを示す概略図である。
【図８】従来のメモリーカードアダプターにメモリカードを挿入していない状態を示す斜視図である。
【符号の説明】
【００２１】
１０  ハウジング、１０ａ  ハウジングユニット、１０ｂ  ハウジングユニット、１１  メモリカード挿入穴、１２  貫通孔、１３  位置決めピン、１４  係り穴、１５  フック部、２０  端子、２０ａ  端子、２１  自由端、２１ａ  自由端、２２  ラップ段、２２ａ  第二端、３０  接続回路板、３１  端子接続片、３２  挿入穴、３３  位置決め穴、４０  保護カバー、４１  弾性持ち突出片、４２  フック、５１  ハウジング、５２  端子、９０  メモリカード、１１１  メモリカード収容部、１１２  開口、１１３ａ  案内溝、１１３ｂ  案内溝、２２１  挿入片、５１１  メモリカード挿入穴、５１２  開口、５２１  自由端
【図１】
0003125533.tif 000003
【図２】
0003125533.tif 000004
【図３】
0003125533.tif 000005
【図４】
0003125533.tif 000006
【図５】
0003125533.tif 000007
【図６】
0003125533.tif 000008
【図７】
0003125533.tif 000009
【図８】
0003125533.tif 000010